(57)【要約】【課題】種々の形態の木造屋根パネルを簡易且つ精度よく製造することができ、垂木の反り等の柱状部材の変形も容易に是正することができる木造屋根パネル組立治具を提供する。【解決手段】本木造屋根パネル組立治具は、複数の差込孔１０が直線上に列設された差込孔列１１Ａ，１１Ｂ，１１Ｃ，１１Ｄが並設されてなる平台１と、木造屋根パネルの柱状部材の底面を担持し且つ両側面を挟持す受け部２０，３０，４０と、前記差込孔１０に嵌挿可能な位置決めピン２１，３１，４１とを備えてなる受け具２，３，４と、前記柱状部材の底面を担持し且つ両側面を挟持するとともに、該柱状部材の端面と当接する先端受け部５０，６０，７０と、該先端受け部５０，６０，７０の底面に突設され、前記差込孔１０に嵌挿可能な位置決めピン５１，６１，７１とを備えてなる先端受け具５，６，７とを具備したものである。【選択図】      図１
2005001017.tif 000002
【特許請求の範囲】
【請求項１】
複数の差込孔が所定間隔で直線上に列設されてなる差込孔列が、夫々所定方向に所定間隔で並設された平台と、
木造屋根パネルを構成する柱状部材の底面を担持するとともに、該柱状部材の両側面を挟持する受け部と、該受け部の底面に突設され、前記平台の差込孔に嵌挿可能な位置決めピンとを備えた受け具と、
前記柱状部材の底面を担持し且つ両側面を挟持するとともに、該柱状部材の端面と当接する先端受け部と、該先端受け部の底面に突設され、前記平台の差込孔に嵌挿可能な位置決めピンとを備えた先端受け具と、を具備してなることを特徴とする木造屋根パネル組立治具。
【請求項２】
前記受け具の受け部及び先端受け具の受け部に夫々形成された嵌合部に嵌脱可能であり、該嵌合部に嵌着されて、該受け具又は先端受け具が支持している柱状部材の上面に敷設される野地板の側端面と当接する野地板規制具を具備したことを特徴とする請求項１記載の木造屋根パネル組立治具。
【請求項３】
前記先端受け具は、該先端受け具が支持している柱状部材の上面に敷設される野地板の先端面と当接する野地板規制部を有するものであることを特徴とする請求項１記載の木造屋根パネル組立治具。
【請求項４】
前記平台の各差込孔列に、該差込孔列に従って配置される柱状部材の種類毎に色分けされた直線が付され、前記各受け具及び先端受け具は、該受け具又は先端受け具が支持する柱状部材の種類毎に、前記直線と同色に色分けされたものであることを特徴とする請求項１記載の木造屋根パネル。
【発明の詳細な説明】
【０００１】
【発明の属する技術分野】
本発明は、垂木、隅木、野地板等が予め一体として組み付けられた木造屋根パネルを作製するための治具に関する。
【０００２】
【従来の技術】
木造建築物の小屋組では、軒桁や母屋、棟木等に垂木を固定し、該垂木に野地板を敷設することが一般的であるが、垂木や野地板等の部材を予め工場等において一体に形成した木造屋根パネルを用いる工法がある。図２２は、該木造屋根パネルの一例を示すものであるが、所定長さに切断された複数の垂木９０が所定間隔で配置され、該垂木９０の上面に野地板９１が釘打ち等により固定されている。このような木造屋根パネル９を施工現場に搬入し、各木造屋根パネル９をクレーン等で吊り上げて位置決めし、木造住宅の小屋組に固定する（特許文献１参照）。これにより、現場作業が減って工期の短縮を図ることができ、また現場における垂木９０等の部材の加工が不要となって現場での廃材を減らすことができる。
【０００３】
木造屋根パネル９を工場等で組み立てる場合には、作業者が適当な作業台上で垂木９０等を一定の配置に位置せしめながら各部材を連結したり、また、施工すべき木造小屋組を工場等にも別途組み立てて、該木造小屋組上で垂木９０と野地板９１等を連結しているが、垂木９０等の部材の位置調整に手間がかかり、一作業毎に精度を測定する必要がある等、作業が煩雑で生産性がよくないという問題がある。また、垂木９０等の部材に反り等がある場合に、該反り等を是正した状態で垂木９０を拘束しておけないので木造屋根パネル９の製品精度がよくないという問題もある。
【０００４】
一方、木造屋根パネル製造用の治具として、図２３に示すように、基板９０１に、垂木９０を支持する溝９０２及び孔９０３が形成された支持板９０４を立設してなる治具９００が考案されている。該治具９００は、垂木９０等が枠体として組み立てられた後に、該垂木９０等を前記支持板９０４の溝９０２に嵌め込んで野地板９１を張りつけるためのものであり、また、野地板９１を張りつけた後は、前記支持板９０４の孔９０３にクレーンのフック等を係止して、木造屋根パネル９の吊り作業性における安定性等を向上するためのものである（特許文献２参照）。
【０００５】
【特許文献１】
特開平１１−２１０１４３号公報（［０００２］段、図６等）
【特許文献２】
特開平９−１３７６０７号公報（［００１６］〜［００２５］段、図３，４等）
【０００６】
【発明が解決しようとする課題】
しかし、前記治具９００は、垂木９０等を位置決めして連結する作業においては使用することができないので、木造屋根パネル９の組立作業が煩雑で生産性がよくないという問題や、組立時に垂木９０の反りを是正した状態で拘束しておけないという問題は改善されない。また、木造住宅の屋根の形状には、寄棟、切妻等の種々の形態があり、これに応じて木造屋根パネル９も、隅木や谷木を配置したり、腕木を配置したり等、種々の形態のものを製造する必要がある。また、同じ木造住宅の屋根であっても、配置すべき場所によって木造屋根パネル９の構成や形状は異なるので、屋根の形状によっては更に組立作業の煩雑さも増す。
【０００７】
本発明は、これらの点に鑑みてなされたものであり、種々の形態の木造屋根パネルを簡易且つ精度よく製造することができ、垂木の反り等の柱状部材の変形も容易に是正することができる木造屋根パネル組立治具を提供することを目的とする。
【０００８】
【課題を解決するための手段】
前記課題を解決するためになされた本発明に係る木造屋根パネル組立治具は、複数の差込孔が所定間隔で直線上に列設された差込孔列が、夫々所定方向に所定間隔で並設されてなる平台と、木造屋根パネルを構成する柱状部材の底面を担持するとともに、該柱状部材の両側面を挟持する受け部と、該受け部の底面に突設され、前記平台の差込孔に嵌挿可能な位置決めピンとを備えてなる受け具と、前記柱状部材の底面を担持し且つ両側面を挟持するとともに、該柱状部材の端面と当接する先端受け部と、該先端受け部の底面に突設され、前記平台の差込孔に嵌挿可能な位置決めピンとを備えてなる先端受け具と、を具備したものである。垂木や隅木等の柱状部材の配置に従って、例えば差込孔列を平台の縦方向、横方向、及び斜め方向に所定間隔で並設し、該差込孔列に受け具及び先端受け具を嵌挿することにより、平台上の所定位置に受け具及び先端受け具が配置され、該受け具及び先端受け具に垂木や隅木等の柱状部材を嵌め込むことにより、各柱状部材を平台上で縦方向、横方向、又は斜め方向に位置決めすることができる。各柱状部材を平板上で位置決めした状態で連結し、野地板を張りつけることにより、所望の寸法及び形状の木造屋根パネルを作製することができる。
【０００９】
また、本発明は、前記木造屋根パネル組立治具において、前記受け具の受け部及び先端受け具の受け部に夫々形成された嵌合部に嵌脱可能であり、該嵌合部に嵌着されて、該受け具又は先端受け具が支持している柱状部材の上面に敷設される野地板の側端面と当接する野地板規制具を具備したものである。各柱状部材を平台上の受け具に嵌合させて位置決めして連結した後、木造屋根パネルの両側に配置された垂木を支持している受け具及び先端受け具に前記野地板規制具を嵌着することにより、該木造屋根パネルに張りつける野地板の側端の位置決めができる。
【００１０】
また、本発明は、前記木造屋根パネル組立治具において、前記先端受け具は、該先端受け具が支持している柱状部材の上面に敷設される野地板の先端面と当接する野地板規制部を有するものである。該野地板規制部により、各柱状部材を平板上で位置決めして連結した後、該柱状部材の上面に張りつける野地板の先端の位置決めができる。
【００１１】
本発明は、前記木造屋根パネル組立治具において、前記平台の各差込孔列に、該差込孔列に従って配置される柱状部材の種類毎に色分けされた直線が付され、前記各受け具及び先端受け具は、該受け具又は先端受け具が支持する柱状部材の種類毎に、前記直線と同色に色分けされたものである。垂木や隅木等の各種柱状部材の配置に従って、各差込孔列に受け具及び先端受け具を嵌挿する際に、受け具及び先端受け具を嵌挿すべき差込孔が、色によって作業者の視覚で容易に判別することができ、特に柱状部材の種類によって受け具及び先端受け具の寸法等が異なる場合に各受け具及び先端受け具の配置作業が容易となる。また、平台に配置された受け具及び先端受け具に各種柱状部材を嵌合する際にも、各受け具の種類が色によって作業者の視覚で容易に判別することができ、各柱状部材の配置作業も容易となる。
【００１２】
【発明の実施の形態】
以下、本発明の実施の形態に係る木造屋根パネル組立治具を図面に基づき具体的に説明する。
［木造屋根パネル組立治具］
本木造屋根パネル組立治具は、複数の差込孔列が設けられた平台１と、該平台１の差込孔に嵌挿可能な各種受け具２，３，４及び先端受け具５，６，７と、受け具２及び先端受け具５に嵌脱可能な野地板規制具８と、を具備したものである。作製すべき木造屋根パネルの垂木や隅木等の柱状部材の配置に従って、平台１に各種受け具２，３，４及び先端受け具５，６，７を適宜配置し、該受け具２，３，４及び先端受け具５，６，７に垂木や隅木等の柱状部材を嵌め込むことにより、各柱状部材を平台１上に位置決めすることができる。各柱状部材を平板１上で位置決めした状態で釘打ち等により各柱状部材を連結し、さらに野地板を張りつけることにより、所望の木造屋根パネルを作製することができる。以下、本木造屋根パネル組立治具を構成する各部材について詳細に説明する。
【００１３】
［平台］
平台１は土台上に平板が敷設されてなるものであり、その上面が水平面をなしている。平台１の縦横の寸法は、特に限定されるものではなく、本木造屋根パネル組立治具を設置すべき工場のスペースや作製すべき木造屋根パネルの寸法を考慮して適宜設定するが、概ね数メートル程度である。また、平台１は、垂木や隅木等の各種柱状部材を載置して、数人の作業者が載ることができる強度のものである。図１に示すように、平台１の上面には複数の差込孔１０が穿たれており、各差込孔１０は、所定方向に所定間隔で直線上に列をなして差込孔列１１Ａ群，１１Ｂ群，１１Ｃ群，１１Ｄ群を夫々形成している。これらは木造屋根パネルを構成する各種柱状部材の配置のバリエーションを考慮して、平台１に対して縦方向、横方向、及び斜め方向に形成されたものであり、一つの木造屋根パネルを組み立てる際に必ずしもすべての差込孔列１１Ａ群，１１Ｂ群，１１Ｃ群，１１Ｄ群が使用されるものではない。また、前記差込孔１０は円孔であり、平台１が木製である場合には、各種受け具２，３，４等の嵌脱による磨耗や割れ等を防止するために、差込孔１０の内周に金属製の管体等を設けて補強しておくことが好ましい。
【００１４】
さらに詳細に説明するに、平台１の縦方向には、垂木の配置を目的として、６本の差込孔列１１Ａ１〜１１Ａ６が形成されている。各差込孔列１１Ａ１〜１１Ａ６は各々８つの差込孔１０が縦方向に所定間隔で直線上に列設され、一定間隔で互いに平行に並んでいる。各差込孔列１１Ａ１〜１１Ａ６における差込孔１０の数や間隔は特に限定されるものではなく、また、各差込孔列１１Ａ１〜１１Ａ６の列の数や間隔も限定されるものではないが、本実施の形態では作製すべき木造屋根パネルを構成する垂木は数十センチメートル間隔で配置されるので、それに合わせて６本の差込孔列１１Ａ１〜１１Ａ６が一定間隔で並設されている。また、平台１の各差込孔列１１Ａ１〜１１Ａ６に直線１２Ａが夫々記されている。本実施の形態では、直線１２Ａは青色の直線であるが、色や直線の種類は特に限定されるものではなく、別の色の１点鎖線や破線等であってもよい。
【００１５】
平台１の横方向には、けらば垂木の配置を目的として、１５本の差込孔列１１Ｂ１〜１１Ｂ１５が形成されている。差込孔列１１Ｂ１は平台１の両側端近傍の２つの差込孔１０から、差込孔列１１Ｂ２は平台１の両側端近傍の２つの差込孔１０と該差込孔１０のやや内側の２つの差込孔１０との４つ差込孔１０から、差込孔列１１Ｂ３〜１１Ｂ１５は更に内側の２つの差込孔１０を有する６つの差込孔１０からなるものであり、これら各差込孔１０が差込孔列１１Ｂ１〜１１Ｂ１５として夫々横方向に所定間隔で直線上に列をなし、互いに平行に並んでいる。各差込孔列１１Ｂ１〜１１Ｂ１５における差込孔１０の数や間隔は特に限定されるものではなく、また、各差込孔列１１Ｂ１〜１１Ｂ１５の列の数や間隔も限定されるものではない。また、平台１の各差込孔列１１Ｂ１〜１１Ｂ１５には赤色の直線１２Ｂが夫々記されている。なお、直線１２Ｂの色は、前記直線１２Ａと色分けされていれば特に限定されるものではなく、直線１２Ｂの直線の種類も限定されるものではない。
【００１６】
平台１の斜め方向には、隅木又は谷木の配置を目的として、２本の差込孔列１１Ｃ１，１１Ｃ２が形成されている。差込孔列１１Ｃ１は、図１に示すように、平台１の手前左隅から右奥へ向かって斜め方向へ複数の差込孔１０が所定間隔で直線上に列をなしたものであり、差込孔列１１Ｃ２は、平台１の手前右隅から左奥へ向かって斜め方向へ複数の差込孔１０が所定間隔で直線上に列をなしたものである。各差込孔列１１Ｃ１，１１Ｃ２における差込孔１０の数や間隔は特に限定されるものではなく、また、各差込孔列１１Ｃ１，１１Ｃ２の列の数も限定されるものではない。従って、本実施の形態では、平台１の手前両隅から夫々１本の差込孔列１１Ｃ１，１１Ｃ２を形成したが、これらを所定間隔で並設してもよい。また、平台１の各差込孔列１１Ｃ１，１１Ｃ２には緑色の直線１２Ｃが夫々記されている。なお、直線１２Ｃの色は、前記直線１２Ａ，１２Ｂと色分けされていれば特に限定されるものではなく、直線１２Ｃの直線の種類も限定されるものではない。
【００１７】
さらに、平台１の斜め方向には、腕木の配置を目的として、２本の差込孔列１１Ｄ１，１１Ｄ２が形成されている。差込孔列１１Ｄ１は、図１に示すように、前記差込孔列１１Ｃ１のやや奥側から該差込孔列１１Ｃ１と平行な斜め方向へ複数の差込孔１０が所定間隔で直線上に列をなしたものであり、差込孔列１１Ｄ２は、前記差込孔列１１Ｃ２のやや奥側から該差込孔列１１Ｃ２と平行な斜め方向へ複数の差込孔１０が所定間隔で直線上に列をなしたものである。各差込孔列１１Ｄ１，１１Ｄ２も同様に、差込孔１０の数や間隔は特に限定されるものではなく、また、各差込孔列１１Ｄ１，１１Ｄ２の列の数も限定されるものではない。また、平台１の各差込孔列１１Ｄ１，１１Ｄ２には黄色の直線１２Ｄが夫々記されている。なお、直線１２Ｄの色は、前記直線１２Ａ，１２Ｂ，１２Ｃと色分けされていれば特に限定されるものではなく、直線１２Ｄの直線の種類も限定されるものではない。
【００１８】
［受け具］
受け具は、作製すべき木造屋根パネルの柱状部材の種類毎に用意されており、本実施の形態では、垂木用受け具２、隅木用受け具３、及び腕木用受け具４の３種類が容易されている。垂木用受け具２、隅木用受け具３、及び腕木用受け具４は、前記平台１に配置すべき差込孔列１１Ａ群，１１Ｂ群，１１Ｃ群，１１Ｄ群に記された各直線１２Ａ，１２Ｂ，１２Ｃ，１２Ｄの色分けに従って着色されている。本実施の形態では、垂木用受け具２は、垂木とけらば垂木と共用できるものであり、青色と赤色との色分けにより垂木用とけらば垂木用とに分けられている。また、隅木用受け具３は緑色に、腕木用受け具４は黄色に着色されている。このように、垂木用受け具２、隅木用受け具３、及び腕木用受け具４を前記各直線１２Ａ，１２Ｂ，１２Ｃ，１２Ｄと同色に色分けすることにより、垂木や隅木等の各種柱状部材の配置に従って、平台１の各差込孔列１１Ａ群，１１Ｂ群，１１Ｃ群，１１Ｄ群に垂木用受け具２、隅木用受け具３、又は腕木用受け具４を嵌挿する際に、各々を嵌挿すべき差込孔１０が色によって作業者の視覚で容易に判別することができ、垂木用受け具２、隅木用受け具３、及び腕木用受け具４の配置作業や、垂木等の柱状部材の配置作業が容易となる。以下、垂木用受け具２、隅木用受け具３、及び腕木用受け具４について夫々説明する。
【００１９】
垂木用受け具２は、図２に示すように、垂木を支持する受け部２０と、該受け部２０の底面から下方に突設された位置決めピン２１と、野地板規制具８を嵌合するための嵌合部２２とを具備したものである。該受け部２０は、鋼板に切込み及び曲折加工してなるものであり、矩形の底板２０ａの一端から上方へ直角に起立して挟持板２０ｂが形成され、該挟持板２０ｂと対向するようにして、前記底板２０ａの他端の中央から上方ヘ直角に起立して挟持板２０ｃが形成され、該挟持板２０ｃから外側ヘ所定間隔を空けて、前記底板２０ａの両端の両側から上方ヘ直角に起立して嵌合板２０ｄが形成されている。図３に示すように、各挟持板２０ｂ，２０ｃ間の距離は垂木の幅寸法と同一であり、高さは垂木の高さより低いものである。このように、正面視で上側を開放としたコの字状に底板２０ａ及び各挟持板２０ｂ，２０ｃが形成されて、底板２０ａの上面が垂木の底面と、挟持板２０ｂ，２０ｃの各内面が垂木の両側面と夫々密接するものとなり、受け部２０に垂木を嵌合すると、底板２０ａにより垂木の底面が担持され、前記挟持板２０ｂ，２０ｃにより該垂木の両側面が挟持されて垂木が支持されるようになっている。また、前記嵌合板２０ｄは、前記野地板規制部材８を嵌着するためのものであり、前記挟持板２０ｃとの間に野地板規制部材８の厚み分の隙間が形成され、該隙間が嵌合部２２をなしている。該嵌合部２２と野地板規制部材８との嵌合については後述する。また、挟持板２０ｂの上端近傍は外側ヘ曲折されて、該曲折部分が垂木を嵌合する際に受け部２０の内側ヘ垂木を案内するようになっている。また、前記位置決めピン２１は、図２，３に示すように、前記平台１の差込孔１０と嵌合する円柱状の鋼材が、受け部２０の底板２０ａの中央に溶接により固定されたものである。該位置決めピン２１を平台１の差込孔列１１Ａ１〜１１Ａ６，１１Ｂ１〜１１Ｂ１５のいずれかの差込孔１０へ嵌挿することにより、垂木用受け具２を平台１上に位置決めできるようになっている。
【００２０】
隅木用受け具３は、図４に示すように、隅木を支持する受け部３０と、該受け部３０の底面から下方に突設された位置決めピン３１とを具備したものである。該受け部３０は、鋼板を曲折加工してなるものであり、矩形の底板３０ａの一端から上方へ直角に起立して挟持板３０ｂが形成され、該挟持板３０ｂと対向するようにして、前記底板３０ａの他端から上方ヘ直角に起立して挟持板３０ｃが形成されている。図５に示すように、各挟持板３０ｂ，３０ｃ間の距離は隅木の幅寸法と同一であり、高さは隅木の高さより低いものである。このように、正面視で上側を開放としたコの字状に底板３０ａ及び各挟持板３０ｂ，３０ｃが形成されて、底板３０ａの上面が隅木の底面と、挟持板３０ｂ，３０ｃの各内面が隅木の両側面と夫々密接するものとなり、受け部３０に隅木を嵌合すると、底板３０ａにより隅木の底面が担持され、前記挟持板３０ｂ，３０ｃにより該隅木の両側面が挟持されて隅木が支持されるようになっている。なお、挟持板３０ｂ，３０ｃの上端近傍を外側ヘ曲折すれば、隅木を嵌合する際に受け部３０の内側ヘ隅木を案内でき、隅木の嵌合が容易となるので好ましい。また、前記位置決めピン３１は、図４，５に示すように、前記平台１の差込孔１０と嵌合する円柱状の鋼材が、受け部３０の底板３０ａの中央に溶接により固定されたものである。該位置決めピン３１を平台１の差込孔列１１Ｃ１，１１Ｃ２のいずれかの差込孔１０に嵌挿することにより、隅木用受け具３を平台１上に位置決めできるようになっている。なお、本隅木用受け具３は、谷木用としても使用することができる。
【００２１】
腕木用受け具４は、図６に示すように、腕木を支持する受け部４０と、該受け部４０の底面から下方に突設された位置決めピン４１とを具備したものである。該受け部４０は、鋼板を曲折加工してなるものであり、矩形の底板４０ａの一端から上方へ直角に起立して挟持板４０ｂが形成され、該挟持板４０ｂと対向するようにして、前記底板４０ａの他端から上方ヘ直角に起立して挟持板４０ｃが形成されている。図７に示すように、各挟持板４０ｂ，４０ｃ間の距離は腕木の幅寸法と同一であり、高さは腕木の高さより低いものである。このように、正面視で上側を開放としたコの字状に底板４０ａ及び各挟持板４０ｂ，４０ｃが形成されて、底板４０ａの上面が腕木の底面と、挟持板４０ｂ，４０ｃの各内面が腕木の両側面と夫々密接するものとなり、受け部４０に腕木を嵌合すると、底板４０ａにより腕木の底面が担持され、前記挟持板４０ｂ，４０ｃにより該腕木の両側面が挟持されて腕木が支持されるようになっている。また、挟持板４０ｂの上端近傍は外側ヘ曲折されており、該曲折部が腕木を嵌合する際に受け部４０の内側ヘ隅木を案内するようになっている。また、前記位置決めピン４１は、図６，７に示すように、前記平台１の差込孔１０と嵌合する円柱状の鋼材が、受け部４０の底板４０ａの中央に溶接により固定されたものである。該位置決めピン４１を平台１の差込孔列１１Ｄ１，１１Ｄ６のいずれかの差込孔１０に嵌挿することにより、腕木用受け具４を平台１上に位置決めできるようになっている。
【００２２】
［先端受け具］
先端受け具も、作製すべき木造屋根パネルの柱状部材の種類毎に用意されており、本実施の形態では、垂木用先端受け具５、隅木用先端受け具６、及び隅木継合端用先端受け具７の３種類が用意されている。垂木用先端受け具５、隅木用先端受け具６、及び隅木継合端用先端受け具７も、前記垂木用受け具２、隅木用受け具３、及び腕木用受け具４と同様の理由から、前記平台１に配置すべき差込孔列１１Ａ群，１１Ｃ群に記された各直線１２Ａ，１２Ｃの色分けに従って、垂木用先端受け具５が青色に、隅木用先端受け具６及び隅木継合端用先端受け具７が緑色に着色されている。本実施の形態では、作製すべき木造屋根パネルの構成から、けらば垂木と腕木には先端受け具を用意していないが、これらについても同様の先端受け具を用意することも勿論可能である。以下、垂木用先端受け具５、隅木用先端受け具６、及び隅木継合端用先端受け具７について夫々説明する。
【００２３】
垂木用先端受け具５は、図８に示すように、垂木の先端部を支持する先端受け部５０と、該先端受け部５０の底面から下方に突設された位置決めピン５１と、野地板規制具８を嵌合するための嵌合部５２とを具備したものである。該先端受け部５０は、鋼板に切込み及び曲折加工してなるものであり、矩形の底板５０ａの一端の一部から上方へ直角に起立して挟持板５０ｂ，５０ｃが形成され、該挟持板５０ｂ，５０ｃから外側ヘ所定間隔を空けて、底板５０ａの一端の一部から上方ヘ直角に起立して２つの嵌合板５０ｄが形成されている。各挟持板５０ｂ，５０ｃと２つの嵌合板５０ｃとは底板５０ａの一端に交互に形成されており、挟持板５０ｂと嵌合板５０ｄとの隙間が嵌合部５２となって前記野地板規制部材８が嵌着できるようになっている。また、該底板５０ａの一端と対向する他端にも、同様に、挟持板５０ｂ，５０ｃと２つの嵌合板５０ｄとが形成されている。各挟持板５０ｂ間及び挟持板５０ｃ間の距離は垂木の幅寸法と同一であり、挟持板５０ｂ及び嵌合板５０ｄの高さは垂木の高さより低いものである。一方、挟持板５０ｃの高さは垂木の高さと同一である。このように、正面視で上側を開放としたコの字状に底板５０ａ及び各挟持板５０ｂ，５０ｃが形成されて、底板５０ａの上面が垂木の底面と、各挟持板５０ｂ，５０ｃの各内面が垂木の両側面と夫々密接するものとなる。
【００２４】
さらに、前記底板５０ａの前記挟持板５０ｃ間に位置する別端から上方ヘ直角に起立して規制板５０ｅが形成されている。該規制板５０ｅは、各挟持板５０ｃと直交しており、その高さは垂木の高さと同一である。また、該規制板５０ｅの上端から外側ヘ水平方向に野地板支持板５０ｆが突設され、該野地板支持板５０ｆの外側端から上方ヘ直角に起立して野地板規制板（野地板規制部）５０ｇが形成されている。これにより、先端受け部５０に垂木を嵌合すると、底板５０ａにより垂木の底面が担持され、前記挟持板５０ｂ，５０ｃにより該垂木の両側面が挟持されて垂木が支持され、且つ、前記規制板５０ｅと該垂木の先端が当接することにより垂木の先端位置が規制されるようになっている。また、該先端受け部５０に支持された垂木の上面と前記野地板支持板５０ｆの上面とは同一面であり、該垂木の上面に張られる野地板の縁部が野地板支持板５０ｆにより担持され、該野地板の端面が野地板規制板５０ｇに当接することにより、先端受け部５０に支持された垂木上に敷設される野地板の位置が規制されるようになっている。なお、本垂木用先端受け具５では、木造屋根パネルの軒先端に軒先母屋等を別途設けるためのスペースを垂木の軒先端に確保するために、野地板支持板５０ｆが外側ヘ突設されたものとしたが、垂木の軒先端と野地板の端面とを合わせる場合には、野地板支持板５０ｆを内側へ突設したり、野地板支持板５０ｆを設けずに規制板５０ｅから更に上方ヘ野地板規制板５０ｇを延設してもよい。また、前記位置決めピン５１は、前記平台１の差込孔１０と嵌合する円柱状の鋼材が、先端受け部５０の底板５０ａの略中央に溶接により固定されたものである。該位置決めピン５１を平台１の差込孔列１１Ａ１〜１１Ａ６の手前側の端に位置する差込孔１０へ嵌挿することにより、垂木用先端受け具５を平台１上に位置決めできるようになっている。
【００２５】
隅木用先端受け具６は、図９に示すように、隅木の先端部を支持する先端受け部６０と、該先端受け部６０の底面から下方に突設された位置決めピン６１とを具備したものである。屋根の軒先となる隅木の先端部の小口面は、垂木の軒先側の端面と揃えるために、隅木の長手方向に対して斜めとなるように形成されている。従って、前記先端受け部６０の底板６０ａは、隅木の幅方向に平行な端部６０ａ１と、隅木の小口面に沿って隅木の長手方向に対して斜めとなる端部６０ａ２とを有する多角形状のものであり、該底板６０ａの端部６０ａ１から上方へ直角に起立して挟持板６０ｂが夫々形成され、端部６０ａ２から上方へ直角に起立して規制板６０ｃが形成されている。挟持板６０ｂ間の距離は隅木の幅寸法と同一であり、挟持板６０ｂ及び規制板６０ｃの高さは隅木の高さより低いものである。このように、正面視で上側を開放としたコの字状に底板６０ａ及び各挟持板６０ｂが形成されて、底板６０ａの上面が隅木の底面と、挟持板６０ｂの各内面が隅木の両側面と夫々密接するものとなり、先端受け部６０に隅木を嵌合すると、底板６０ａにより隅木の底面が担持され、挟持板６０ｂにより該隅木の両側面が挟持され、且つ、前記規制板６０ｃと該隅木の先端の小口面が当接することにより隅木の先端位置が規制されるようになっている。また、前記位置決めピン６１は、前記平台１の差込孔１０と嵌合する円柱状の鋼材が、先端受け部６０の底板６０ａの略中央に溶接により固定されたものである。該位置決めピン６１を平台１の差込孔列１１Ｃ１，１１Ｃ２の手前側の端に位置する差込孔１０へ嵌挿することにより、隅木用先端受け具６を平台１上に位置決めできるようになっている。
【００２６】
隅木継合端用先端受け具７は、図１０に示すように、隅木の継合端部を支持する先端受け部７０と、該先端受け部７０の底面から下方に突設された位置決めピン７１とを具備したものである。木造屋根パネルにおいて隅木が継合される場合には、該隅木の継合端の小口面は、隅木の先端部の小口面の方向とは異なるので、作製すべき木造屋根パネルを構成する隅木が継合端を有する場合に、隅木継合端用先端受け具７を用いる。本実施の形態では、継合端の小口面が隅木の長手方向に対して直交するように形成されるものとして、前記先端受け部７０の底板７０ａは矩形となっている。該矩形の底板７０ａの一端から上方へ直角に起立して挟持板７０ｂが形成され、該底板７０ａの一端と対向する他端にも、同様に、挟持板７０ｂが形成され、更に、該底板７０ａの挟持板７０ｂ間に位置する別端から上方ヘ直角に起立して規制板７０ｃが形成されている。挟持板７０ｂ間の距離は隅木の幅寸法と同一であり、規制板７０ｃは各挟持板７０ｂと直交しており、挟持板７０ｂ及び規制板７０ｄの高さは隅木の高さより低いものである。このように、正面視で上側を開放としたコの字状に底板７０ａ及び各挟持板７０ｂが形成されて、底板７０ａの上面が隅木の底面と、挟持板７０ｂの各内面が隅木の両側面と夫々密接するものとなり、先端受け部７０に隅木を嵌合すると、底板７０ａにより隅木の底面が担持され、挟持板７０ｂにより該隅木の両側面が挟持され、且つ、前記規制板７０ｃと該隅木の継合端の小口面が当接することにより隅木の継合端位置が規制されるようになっている。また、前記位置決めピン７１は、前記平台１の差込孔１０と嵌合する円柱状の鋼材が、先端受け部７０の底板７０ａの略中央に溶接により固定されたものである。該位置決めピン７１を平台１の差込孔列１１Ｃ１，１１Ｃ２の手前側の端に位置する差込孔１０へ嵌挿することにより、隅木継合端用先端受け具７を平台１上に位置決めできるようになっている。
【００２７】
［野地板規制具］
野地板規制具８は、図１１に示すように、鋼板を曲折加工して得られるものであり、前記垂木用受け具２の嵌合部２２又は垂木用先端受け具５の嵌合部５２と嵌合する嵌挿部８０と、該嵌挿部８０の上端から水平方向に直角に突出した天板８１と、該天板８１の端縁から上方ヘ直角に起立した規制部８２とを具備したものである。嵌挿部８０の厚みは、前記垂木用受け具２の挟持板２０ｃと嵌合板２０ｄとの隙間、及び前記垂木用先端受け具５の挟持板５０ｂと嵌合板５０ｄとの隙間と同一であり、幅は該挟持板２０ｃ及び挟持板５０ｂの幅より十分に大きく、高さは垂木の高さと同一である。天板８１は、図１２に示すように、前記垂木用受け具２の嵌合部２２又は垂木用先端受け具５の嵌合部５２に嵌着された場合に、その下面が該垂木用受け具２の受け部２０又は垂木用先端受け具５の先端受け部５０に嵌合された垂木の上面と当接するものであり、その突出幅は該垂木の幅の半分である。木造小屋組に木造屋根パネルを順次配設した場合に、隣接する木造屋根パネルの野地板は、木造屋根パネルの側端に位置する垂木上で継がれるので、木造屋根パネルの側端に位置する垂木の一方には、隣接する木造屋根パネルの野地板を継ぐためのスペースを空けておく必要がある。従って、前記天板８１の突出幅は該スペースに合わせて設定されている。そして、前記規制部８２が垂木上に張られる野地板の側端面と当設して野地板の位置を規制し、該垂木上に前記スペースを確保するようになっている。なお、前記垂木用受け具２の嵌合板２０ｄや垂木用先端受け具５の嵌合板５０ｄの上端近傍を外側へ曲折すれば、該曲折部分の内面が、野地板規制部材８を嵌合する際に嵌挿部８０を嵌合部２２又は嵌合部５２に案内するものとなり嵌着作業が容易となるので好ましい。
【００２８】
［木造屋根パネル組立治具の使用方法］
以下、本木造屋根パネル組立治具の使用方法について説明する。本木造屋根パネル組立治具は、作製すべき木造屋根パネルの垂木や隅木等の配置に従って、平台１の差込孔１０に各種受け具２，３，４や先端受け具５，６，７を予め配置し、該受け具２，３，４や先端受け具５，６，７に垂木等の柱状部材を嵌合することにより所望の木造屋根パネルを組み立てるものであり、組立毎の寸法の測定や墨だしが不要であり、精度の高い木造屋根パネルを簡易且つ安定して組み立てることができる。本木造屋根パネル組立治具により組立可能な木造屋根パネルの構成は、各種受け具２，３，４や先端受け具５，６，７の配置により様々なバリエーションがあり、以下に示すものは、その一例である。
【００２９】
図１３は、木造住宅の寄棟屋根の隅部に配置される木造屋根パネル９Ａの構成を示すものであるが、本木造屋根パネル９Ａは、４本の垂木９０が所定間隔で列設され、各垂木９０の端部に隅木９２が架設され、該垂木９０及び隅木９２上に三角形状の野地板９１が敷設されてなる。垂木９０は木製の角材であり、軒先の通りに合わせて適宜切断されており、本木造屋根パネル９Ａは、寄棟屋根の傾斜面が交わる隅部に配設されるものなので、各垂木９０は、該隅部に向かって順次短くなるように切断されている。また、隅木９２も木製の角材であり、４本の垂木９０に架設できる長さに予め切断され、軒先端の小口面は斜めに形成されている。
【００３０】
図１４は、前記木造屋根パネル９Ａを組み立てる際の、平台１上の各種柱状部材の配置を示したものである。各垂木９０は、図に斜線で示したように、長さの短いものから平台１の差込孔列１１Ａ１〜１１Ａ４に順次配置されるので、平台１には、各差込孔列１１Ａ１〜１１Ａ４の手前側の端部に位置する各差込孔１０に前記垂木用先端受け具５の位置決めピン５１を夫々嵌挿して配置し、差込孔列１１Ａ２〜１１Ａ４の他の差込孔１０には前記垂木用受け具２の位置決めピン２１を嵌挿して夫々配置する。また、隅木９２は、平台１の差込孔列１１Ｃ１に配置されるので、平台１には、差込孔列１１Ｃ１の手前側の端部に位置する差込孔１０に前記隅木用先端受け具６の位置決めピン６１を嵌挿して配置し、差込孔列１１Ｃ１の他の差込孔１０には前記隅木用受け具３の位置決めピン３１を夫々嵌挿して配置する。
【００３１】
垂木用受け具２、隅木用受け具３、垂木用先端受け具５、及び隅木用先端受け具６の配置を終えれば、これらに従って垂木９０及び隅木９２を配置する。各垂木９０を垂木用受け具２の受け部２０及び垂木用先端受け具５の先端受け部５０に嵌合するとともに、垂木用先端受け具５の規制板５０ｅに垂木９０の軒先端を当接させて位置決めする。図１５は、垂木用先端受け具５により位置決めされた垂木９０の軒先端付近を示すものであるが、図に示すように、垂木用先端受け具５は、位置決めピン５１が平台１の差込孔１０に嵌挿されることにより平台１上に位置決めされており、該垂木用先端受け具５の底板５０ａにより垂木９０の底面が担持され、挟持板５０ｂ，５０ｃにより垂木９０の側面が挟持され、該垂木９０の幅方向の位置決めがなされている。さらに、垂木用先端受け具５の規制板５０ｅに垂木９０の軒先端が当接して、該垂木９０の長手方向の位置決めがなされている。このように、各垂木９０を垂木用受け具２及び垂木用先端受け具５に嵌め込むことにより、容易に各垂木９０を配置することができる。また、垂木９０に反り等の変形が生じていた場合にも、直線上に列設された垂木用受け具２及び垂木用先端受け具５に嵌め込むことにより、反り等が矯正される。
【００３２】
隅木９２も、同様に、隅木用受け具３の受け部３０及び隅木用先端受け具６の先端受け部６０に嵌合するとともに、隅木用先端受け具６の規制板６０ｃに隅木９２の軒先端を当接させて位置決めする。図１６は、隅木用先端受け具６により位置決めされた隅木９２の軒先端付近を示すものであるが、図に示すように、隅木用先端受け具６の底板６０ａにより隅木９２の底面が担持され、挟持板６０ｂにより隅木９２の側面が挟持され、該隅木９２の幅方向の位置決めがなされている。さらに、隅木用先端受け具６の規制板６０ｅに隅木９２の軒先端が当接して、該隅木９２の長手方向の位置決めがなされている。このように、隅木９２を隅木用受け具３及び隅木用先端受け具６に嵌め込むことにより、容易に隅木９２を配置することができる。また、隅木９２に反り等の変形が生じていた場合にも、直線上に列設された垂木用受け具３及び垂木用先端受け具６に嵌め込むことにより、反り等が矯正される。
【００３３】
なお、本木造屋根パネル９Ａの隅木９２は、その先端の小口面が軒先に沿って斜めに形成されたものであるが、前述したように、隅木９２を継合する場合には、該隅木９２の小口面は長手方向に対して直角に形成されている。その場合には、前記隅木用先端受け具６に代えて、隅木継合端用先端受け具７を平台１上に配置し、該隅木継合端用先端受け具７の先端受け部７０に隅木９２を嵌合することにより、図１７に示すように、隅木継合端用先端受け具７の底板７０ａにより隅木９２の底面が担持され、挟持板７０ｂにより隅木９２の側面が挟持されて該隅木９２の幅方向の位置決めがなされ、規制板６０ｅに隅木９２の継合端が当接して該隅木９２の長手方向の位置決めがなされる。
【００３４】
このようにして、各垂木９０と隅木９２とを図１４に示すように平台１上に配置して、各垂木９０と隅木９２とが釘打ち等により連結する。その後、該垂木９０及び隅木９２上に野地板９１を配置する。図１８は、垂木用先端受け具５により位置決めされた野地板９１の軒先端付近を示すものであるが、図に示すように、垂木用先端受け具５の先端受け部５０に嵌合された垂木９０上に野地板９１を載置し、該野地板９１の軒先端付近の下面は、該垂木用先端受け具５の野地板支持板５０ｆにより担持され、野地板９１の軒先端の端面が、垂木用先端受け具５の野地板規制板５０ｇに当接して、該野地板９１の軒先端の位置決めがなされる。これにより、前記垂木９０の軒先端に軒先母屋等を配設するスペースを確保して野地板９１を配置することができる。
【００３５】
一方、平台１の差込孔列１１Ａ４に配置された垂木用受け具２及び垂木用先端受け具５に野地板規制具８が嵌着して、前記野地板９１の側端を位置決めする。図１９は、野地板規制具８により位置決めされた野地板９１の側端付近を示すものであるが、図に示すように、木造屋根パネル９Ａの側端に位置する垂木９０を支持している各垂木用受け具２の嵌合部２２に野地板規制具８を嵌着し、該野地板規制具８の規制部８２と該垂木９０上に載置した野地板９１の側端面とを当接して、該野地板９１の側端の位置決めをする。これにより、前記垂木９０の上面に、野地板９１の継合スペースを確保して野地板９１を配置することができる。このようにして野地板９１を配置した後、各垂木９０及び隅木９２に釘打ちして固定し、木造屋根パネル９Ａを得る。なお、図には示していないが、木造屋根パネル９Ａの側端に位置する垂木９０を支持している垂木用先端受け具５の嵌合部５２にも野地板規制具８を嵌着することができる。
【００３６】
図２０は、本木造屋根パネル組立治具により組み立てられる他の形態の木造屋根パネル９Ｂの構成を示すものであるが、本木造屋根パネル９Ｂは、切妻屋根の破風部に配置されるものであり、側端には破風下地９３が設けられており、また、腕木９４とけらば垂木９５により木造屋根パネル９ｂの強度が上げられている。さらに詳細に説明すると、４本の垂木９０と１本の破風下地９３が所定間隔で列設され、中央の３本の垂木９０の端部と両側の垂木９０及び破風下地９３に渡って腕木９４が架設され、該腕木９４又は側部の垂木９０と破風下地９３間に前記垂木９０と直交する方向にけらば垂木９５が架設され、該垂木９０、破風下地９３、腕木９４、及びけらば垂木９５上に矩形の野地板９１が敷設されてなるものである。破風下地９３及びけらば垂木９５は木製の角材であり、予め所定の寸法に切断されている。
【００３７】
図２１は、前記木造屋根パネル９Ｂを組み立てる際の、平台１上の各種柱状部材の配置を示したものである。各垂木９０は、図に斜線で示したように、長さの長いものから平台１の差込孔列１１Ａ３〜１１Ａ６に順次配置されるので、平台１には、各差込孔列１１Ａ３〜１１Ａ６の手前側の端部に位置する各差込孔１０に前記垂木用先端受け具５の位置決めピン５１を夫々嵌挿して配置し、差込孔列１１Ａ３〜１１Ａ６の他の差込孔１０には前記垂木用受け具２の位置決めピン２１を嵌挿して夫々配置する。また、腕木９４は、平台１の差込孔列１１Ｄ２に配置されるので、平台１には、差込孔列１１Ｄ２の各差込孔１０に前記腕木用受け具４の位置決めピン４１を嵌挿して配置する。また、けらば垂木９５は、平台１の差込孔列１１Ｂ１，１１Ｂ２，１１Ｂ４，１１Ｂ６，１１Ｂ７に配置されるので、平台１には、各差込孔列１１Ｂ１，１１Ｂ２，１１Ｂ４，１１Ｂ６，１１Ｂ７の各差込孔１０に前記垂木用受け具２の位置決めピン２１を嵌挿して配置する。なお、破風下地９３については受け具に嵌合せずに、平台１上に腕木９４及びけらば垂木９５を配置して連結した後に取り付ける。垂木用受け具２、腕木用受け具４、垂木用先端受け具５の配置を終えれば、これらに従って垂木９０、腕木９４、及びけらば垂木９５を配置する。各種受け具２，４及び垂木用先端受け具５と各種柱状部材との嵌合や位置決めについては、木造屋根パネル９Ａと同様であるので、詳細な説明は省略する。また、その後に配置する野地板９１の軒先端は、垂木用先端受け具５の野地板規制板５０ｇにより位置決めし、野地板９１の側端は、垂木用受け具２及び垂木用先端受け具５に嵌着された野地板規制具８により位置決めする点についても同様である。このように、本木造屋根パネル組立治具１００によれば、所望の木造屋根パネルの構成に合致するように平台１上の各種受け具２，３，４及び先端受け具５，６，７の配置を簡易に変更することができ、木造屋根パネルの作製毎に寸法の測定等を行うことなく、精度のよい木造屋根パネルを簡易且つ迅速に組み立てることができる。また、作業者の技量による差がなく、木造屋根パネルの品質の安定が図れる。
【００３８】
【発明の効果】
このように、本発明に係る木造屋根パネル組立治具によれば、複数の差込孔が所定間隔で直線上に列設された差込孔列が、夫々所定方向に所定間隔で並設されてなる平台に、垂木や隅木等の柱状部材の配置に従って、各種受け具及び先端受け具を、位置決めピンを差込孔に嵌挿することにより配置し、該受け具の嵌合部及び先端受け具の嵌合部に垂木や隅木等の柱状部材を嵌め込むことにより、各柱状部材を平台上で位置決めして、所望の木造屋根パネルを作製することができる。これにより、寸法を測定することなく精度の高い木造屋根パネルを簡易且つ迅速に組み立てることができる。また、作業者の技量差が生じ難く、木造屋根パネルの品質が安定する。さらに、柱状部材が各種受け具及び先端受け具に嵌合されることにより、反り等の変形が矯正された状態で組み立てることができる。
【００３９】
また、本発明によれば、前記受け具の受け部及び先端受け具の受け部に夫々形成された嵌合部に嵌脱可能な野地板規制具を備え、該野地板規制具が該受け具又は先端受け具が支持している柱状部材の上面に敷設される野地板の側端面と当接して、野地板の側端の位置決めができるので、野地板の敷設位置においても、寸法を測定することなく精度の高い木造屋根パネルを簡易且つ迅速に組み立てることができる。
【００４０】
また、本発明によれば、前記先端受け具は、該先端受け具が支持している柱状部材の上面に敷設される野地板の先端面と当接する野地板規制部を有するので、該先端受け具が支持している各柱状部材の上面に張りつける野地板の先端の位置決めができるので、野地板の敷設位置においても、寸法を測定することなく精度の高い木造屋根パネルを簡易且つ迅速に組み立てることができる。
【００４１】
また、本発明によれば、前記平台の各差込孔列に、該差込孔列に従って配置される柱状部材の種類毎に色分けされた直線が付され、前記各受け具及び先端受け具を、該受け具又は先端受け具が支持する柱状部材の種類毎に、前記直線と同色に色分けしたので、各差込孔列に配置すべき受け具及び先端受け具を、色によって作業者の視覚で容易に判別することができ、各受け具及び先端受け具の配置作業が容易となる。同様に、平台に配置された受け具及び先端受け具への各柱状部材の配置作業も容易となる。
【図面の簡単な説明】
【符号の説明】
【図１】平台１の構成を示す平面図である。
【図２】垂木用受け具２の構成を示す斜視図である。
【図３】垂木用受け具２の構成を示す正面図である。
【図４】隅木用受け具３の構成を示す斜視図である。
【図５】隅木用受け具３の構成を示す正面図である。
【図６】腕木用受け具４の構成を示す斜視図である。
【図７】腕木用受け具４の構成を示す正面図である。
【図８】垂木用先端受け具５の構成を示す斜視図である。
【図９】隅木用先端受け具６の構成を示す斜視図である。
【図１０】隅木継合端用先端受け具７の構成を示す斜視図である。
【図１１】野地板規制具８の構成を示す斜視図である。
【図１２】垂木用受け具２に嵌着した状態の野地板規制具８を示す正面図である。
【図１３】本木造屋根パネル組立治具により組み立てられる木造屋根パネル９Ａの構成を示す斜視図である。
【図１４】木造屋根パネル９Ａの各柱状部材の平台１上の配置を示す平面図である。
【図１５】垂木用先端受け具５に嵌合された状態の垂木９０の軒先端付近を示す拡大側面図である。
【図１６】隅木用先端受け具６に嵌合された状態の隅木９２の軒先端付近を示す拡大平面図である。
【図１７】隅木継合端用先端受け具７に嵌合された状態の隅木９２の軒先端付近を示す拡大平面図である。
【図１８】垂木用先端受け具５により位置決めされた状態の野地板９１の軒先端付近を示す拡大側面図である。
【図１９】野地板規制具８により位置決めされた状態の野地板９１の側端付近を示す拡大正面図である。
【図２０】本木造屋根パネル組立治具により組み立てられる木造屋根パネル９Ｂの構成を示す斜視図である。
【図２１】木造屋根パネル９Ｂの各柱状部材の平台１上の配置を示す平面図である。
【図２２】木造屋根パネル９の構成を示す斜視図である。
【図２３】従来の治具９００の構成を示す斜視図である。
【符号の説明】
１  平台
２  垂木用受け具
３  隅木用受け具
４  腕木用受け具
５  垂木用先端受け具
６  隅木用先端受け具
７  隅木継合端用先端受け具
８  野地板規制具
９Ａ，９Ｂ  木造屋根パネル
１０  差込孔
１１Ａ，１１Ｂ，１１Ｃ，１１Ｄ  差込孔列
１２Ａ，１２Ｂ，１２Ｃ，１２Ｄ  直線
２０，３０，４０  受け部
２１，３１，４１，５１，６１，７１  位置決めピン
２２，５２  嵌合部
５０，６０，７０  先端受け部
５０ｅ  野地板規制板（野地板規制部）
９０  垂木（柱状部材）
９１  野地板
９２  隅木（柱状部材）
９３  腕木（柱状部材）
９４  けらば垂木（柱状部材）
【図１】
2005001017.tif 000003
【図２】
2005001017.tif 000004
【図３】
2005001017.tif 000005
【図４】
2005001017.tif 000006
【図５】
2005001017.tif 000007
【図６】
2005001017.tif 000008
【図７】
2005001017.tif 000009
【図８】
2005001017.tif 000010
【図９】
2005001017.tif 000011
【図１０】
2005001017.tif 000012
【図１１】
2005001017.tif 000013
【図１２】
2005001017.tif 000014
【図１３】
2005001017.tif 000015
【図１４】
2005001017.tif 000016
【図１５】
2005001017.tif 000017
【図１６】
2005001017.tif 000018
【図１７】
2005001017.tif 000019
【図１８】
2005001017.tif 000020
【図１９】
2005001017.tif 000021
【図２０】
2005001017.tif 000022
【図２１】
2005001017.tif 000023
【図２２】
2005001017.tif 000024
【図２３】
2005001017.tif 000025